(57)【要約】【課題】バックライトからの光を有効利用することによって非自発光表示部の輝度を向上させた表示装置の提供。【解決手段】少なくとも、光を透過し得る透光領域と光を遮光する遮光領域を有する非自発光表示部と、反射薄板と、光源からの光を前記非自発光表示部へ導く反射シートを備えるバックライトとが、順次、対向配置される表示装置であって、  前記反射薄板は、少なくとも前記非自発光表示部の前記透光領域と対向して形成される開口領域と、前記非自発光表示部の前記遮光領域の少なくとも一部に対向して形成される反射領域とを備え、前記反射領域は前記バックライトからの光を前記バックライト側に反射させるようになっている。【選択図】図１
2011034017.tif 000002
【特許請求の範囲】
【請求項１】
少なくとも、光を透過し得る透光領域と光を遮光する遮光領域を有する非自発光表示部と、反射薄板と、光源からの光を前記非自発光表示部へ導く反射シートを備えるバックライトとが、順次、対向配置される表示装置であって、
前記反射薄板は、少なくとも前記非自発光表示部の前記透光領域と対向して形成される開口領域と、前記非自発光表示部の前記遮光領域の少なくとも一部に対向して形成される反射領域とを備え、前記反射領域は前記バックライトからの光を前記バックライト側に反射させることを特徴とする表示装置。
【請求項２】
少なくとも、液晶表示パネルと、反射薄板と、光源からの光を前記液晶表示パネルへ導く反射シートを備えるバックライトとが、順次、対向配置される表示装置であって、
前記液晶表示パネルは、その表示領域において、複数の画素領域と、隣接する前記画素領域の間に遮光領域を有して構成され、
前記反射薄板は、少なくとも前記液晶表示パネルの前記画素領域と対向して形成される開口領域と、前記液晶表示パネルの前記遮光領域の少なくとも一部に対向して形成される反射領域とを備え、前記反射領域は前記バックライトからの光を前記バックライト側に反射させることを特徴とする表示装置。
【請求項３】
前記反射薄板の前記開口領域と前記反射領域は、それぞれ、液晶表示パネルの前記画素領域と前記遮光領域に対応づけられて形成されていることを特徴とする請求項２に記載の表示装置。
【請求項４】
前記反射薄板の前記開口領域は、前記液晶表示パネルの隣接する複数の画素領域を共通に含むように形成され、前記反射薄板の前記反射領域は、隣接する開口領域の間に形成されていることを特徴とする請求項３に記載の表示装置。
【請求項５】
前記反射薄板は、透明な樹脂シートと、この樹脂シートの表面の前記反射領域に形成された金属層とで構成されていることを特徴とする請求項１から請求項４の何れか１項に記載の表示装置。
【請求項６】
前記金属層は銀を含むことを特徴とする請求項５に記載の表示装置。
【請求項７】
前記バックライトは、少なくとも、前記液晶表示パネルと対向して配置される導光板と、この導光板の側壁面に配置される光源と、前記導光板の前記液晶表示パネルと反対側の面に配置される前記反射シートとから構成されていることを特徴とする請求項２に記載の表示装置。
【請求項８】
前記光源は、導光板の側壁面に沿って配置される複数の発光ダイオードからなることを特徴とする請求項７に記載の表示装置。
【請求項９】
前記バックライトは、少なくとも、前記液晶表示パネルと対向して配置される箱状のフレームと、このフレームの底面に配置された前記反射シートと、この反射シートの上方であって前記液晶表示パネルと平行な平面内に並設される複数の冷陰極線管とから構成されていることを特徴とする請求項２に記載の表示装置。
【発明の詳細な説明】
【技術分野】
【０００１】
本発明は表示装置に係り、特に、非自発光表示部の背面にバックライトを備えた表示装置に関する。
【背景技術】
【０００２】
たとえば液晶表示装置は、液晶表示パネルの背面にバックライトを備えて構成されるのが通常である。
【０００３】
液晶表示パネルは、その表示領域における複数の画素が液晶の駆動によって光透過率が制御され、いわゆる非自発光表示パネルとして構成される。このため、液晶表示パネルにおける表示画像は、各画素を通して得られるバックライトからの光によって構成するようになっている。
【０００４】
ここで、液晶表示パネルは、複数の画素がマトリックス状に配置されて表示領域を構成するようになっており、それぞれの画素において、左右上下方向にそれぞれ隣接する他の画素との間に遮光が施されて構成されている。この理由は、主として、画素と画素との間に信号線が走行され、この信号線が目視されるのを回避するため、隣接画素間での混色を防止するため、また、信号線の近傍には画素選択用の薄膜トランジスタが具備され、この薄膜トランジスタへの光照射による特性劣化を防止するため等である。
【０００５】
また、バックライトは、たとえば下記特許文献１に示すように、液晶表示パネルと対向して配置される導光板と、この導光板の側面に沿って配置された複数の発光ダイオードと、前記導光板の前記液晶表示パネル側の面と反対側の面に配置された反射シートとから構成されているものが知られている。このように構成されたバックライトは、発光ダイオードから光が導光板内に伝播され前記反射シート等に反射されて前記液晶表示パネル側の面から出射されることによって面光源として機能するようになっている。
【０００６】
なお、本願発明に関連する他の文献として下記特許文献２がある。特許文献２は、導光板と、この導光板に光を導波させる光源と、被照明体と反対側に反射部材を備える平面型照明装置において、被照明体の間にハーフミラー面を有する拡散部材を配置させることによって、輝度の均一化および輝度の向上を図ったものが開示されている。
【先行技術文献】
【特許文献】
【０００７】
【特許文献１】特開２００８-１５８０１４号公報
【特許文献２】特開２００３−３１７５２０号公報
【発明の概要】
【発明が解決しようとする課題】
【０００８】
液晶表示パネルは、上述したように、表示領域における画素（画素領域）と画素（画素領域）との間に遮光領域が形成されている。この場合、表示領域に占める画素領域の面積比率を画素の開口率と称し、この画素の開口率の向上を図ることが望ましい。これにより、表示画像の輝度を向上させることができるからである。
【０００９】
しかし、一方において、近年の高解像度化によって、画素の開口率はたとえば５０％程度に留まっている状況となっている。このことは、液晶表示パネルの表示領域に照射される光のうち、画素領域を透過し得る半分の光が画像表示に寄与し、残り半分の光が遮光領域において吸収されることになり、バックライトからの光の約半分が利用されていないことになる。
【００１０】
本発明の目的は、バックライトからの光を有効利用することによって非自発光表示部の輝度を向上させた表示装置を提供することにある。
【課題を解決するための手段】
【００１１】
本発明の表示装置は、たとえば液晶表示パネルの表示領域における遮光領域に指向するバックライトからの光を、バックライトへ戻すことによって再利用しようとするものである。
【００１２】
本発明の構成は、たとえば、以下のようなものとすることができる。
【００１３】
（１）本発明の表示装置は、観察者側（表示面側）から、順次、少なくとも、光を透過し得る透光領域と光を遮光する遮光領域を有する非自発光表示部と、反射薄板と、光源からの光を前記非自発光表示部へ導く反射シートを備えるバックライトとが、対向配置される表示装置であって、
前記反射薄板は、少なくとも前記非自発光表示部の前記透光領域と対向して形成される開口領域と、前記非自発光表示部の前記遮光領域の少なくとも一部に対向して形成される反射領域とを備え、前記反射領域は前記バックライトからの光を前記バックライト側に反射させるようになっていることを特徴とする。
【００１４】
（２）本発明の表示装置は、観察者側（表示面側）から、順次、少なくとも、液晶表示パネルと、反射薄板と、光源からの光を前記液晶表示パネルへ導く反射シートを備えるバックライトとが、対向配置される表示装置であって、
前記液晶表示パネルは、その表示領域において、複数の画素領域と、隣接する前記画素領域の間に遮光領域を有して構成され、
前記反射薄板は、少なくとも前記液晶表示パネルの前記画素領域と対向して形成される開口領域と、前記液晶表示パネルの前記遮光領域の少なくとも一部に対向して形成される反射領域とを備え、前記反射領域は前記バックライトからの光を前記バックライト側に反射させるようになっていることを特徴とする。
【００１５】
（３）本発明の表示装置は、（２）において、前記反射薄板の前記開口領域と前記反射領域は、それぞれ、液晶表示パネルの前記画素領域と前記遮光領域に対応づけられて形成されていることを特徴とする。
【００１６】
（４）本発明の表示装置は、（３）において、前記反射薄板の前記開口領域は、前記液晶表示パネルの隣接する複数の画素領域を共通に含むように形成され、前記反射薄板の前記反射領域は、隣接する開口領域の間に形成されていることを特徴とする。
【００１７】
（５）本発明の表示装置は、（１）から（４）において、前記反射薄板は、透明な樹脂シートと、この樹脂シートの表面の前記反射領域に金属層が形成されて構成されていることを特徴とする。
【００１８】
（６）本発明の表示装置は、（５）において、前記金属層はＡｇ（銀）からなる、或いはＡｇ（銀）を含むことを特徴とする。
【００１９】
（７）本発明の表示装置は、（２）において、前記バックライトは、少なくとも、前記液晶表示パネルと対向して配置される導光板と、この導光板の側壁面に配置される光源と、前記導光板の前記液晶表示パネルと反対側の面に配置される前記反射シートとから構成されていることを特徴とする。
【００２０】
（８）本発明の表示装置は、（７）において、前記光源は、導光板の側壁面に沿って配置される複数の発光ダイオードからなることを特徴とする。
【００２１】
（９）本発明の表示装置は、（２）において、前記バックライトは、少なくとも、前記液晶表示パネルと対向して配置される箱状のフレームと、このフレームの底面に配置された前記反射シートと、この反射シートの上方であって前記液晶表示パネルと平行な平面内に並設される複数の冷陰極線管とから構成されていることを特徴とする。
【００２２】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００２３】
このような表示装置によれば、バックライトからの光を有効利用することによって非自発光表示部の輝度を向上させることができる。
【００２４】
本発明のその他の効果については、明細書全体の記載から明らかにされる。
【図面の簡単な説明】
【００２５】
【図１】本発明の表示装置の実施例１の断面図である。
【図２】本発明の表示装置の実施例１の分解平面図である。
【図３】本発明の表示装置から反射薄板を取り出して示した平面図である。
【図４】本発明の表示装置の広視野角特性（図中ｙ方向）を示したグラフである。
【図５】本発明の表示装置の広視野角特性（図中ｘ方向）を示したグラフである。
【図６】本発明の表示装置の実施例２を示す図で、図３と対応させて描画した図である。
【図７】本発明の表示装置の実施例３を示す図で、図１と対応させて描画した図である。
【発明を実施するための形態】
【００２６】
本発明の実施例を図面を参照しながら説明する。なお、各図および各実施例において、同一または類似の構成要素には同じ符号を付し、説明を省略する。
【実施例１】
【００２７】
図２は、本発明の表示装置の実施例１を示す概略構成図である。図２は、たとえば液晶表示装置を示し、モジュール化されて組み込まれる液晶表示パネルＰＮＬ、反射薄板ＲＦＢ、光学シートＯＰＳ、バックライトＢＬを分解しそれぞれ若干ずらして示した平面図となっている。観察者は紙面表側から液晶表示装置を観察するようになっている。なお、図１は、液晶表示パネルＰＮＬ、反射薄板ＲＦＢ、光学シートＯＰＳ、バックライトＢＬをずらすことなく配置させた場合において、図２のI−I線における断面図を示している。
【００２８】
まず、液晶表示パネルＰＮＬは、液晶（図示せず）を挟持して対向配置されるたとえばガラスの基板ＳＵＢ１、基板ＳＵＢ２とで外囲器を構成している。基板ＳＵＢ２は基板ＳＵＢ１より面積が小さく形成され、これにより基板ＳＵＢ１の図中下側の辺部が基板ＳＵＢ２から露出されるようになっている。これは、基板ＳＵＢ１の図中下側の辺部に半導体装置（チップ）ＳＥＣが搭載させ、この半導体装置ＳＥＣによって液晶表示パネルＰＮＬの後述する各画素を駆動させるようにしているからである。
【００２９】
基板ＳＵＢ２の周辺において基板ＳＵＢ１との間にシール材ＳＬが形成されている。このシール材ＳＬは、基板ＳＵＢ１と基板ＳＵＢ２との固着を図るとともに、基板ＳＵＢ１と基板ＳＵＢ２との間の液晶を封入させるようになっている。
【００３０】
シール材ＳＬで囲まれた領域は表示領域ＡＲを構成し、この表示領域ＡＲには複数の画素がマトリックス状に配置されて形成されている。これらの画素は、図示していないが、基板ＳＵＢ１の液晶側の面および基板ＳＵＢ２の液晶側の面において、フォトリソグラフィ技術によってパターン化された導電層、半導体層、および絶縁層等が所定の順序で積層されることによって形成されている。各画素には一対の電極が形成され、これら電極の間に電界を生じせしめることによって、当該画素の液晶を駆動させ、画素の光透過率を制御させるようになっている。各画素におけるこのような駆動は前記半導体装置ＳＥＣによって行われるようになっている。
【００３１】
ここで、各画素は、図中点線枠の拡大図である図Ａに示すように、後述のバックライトＢＬからの光を透過し得る画素領域ＰＩＤがマトリックス状に複数形成され、これら画素領域ＰＩＤの周辺に前記バックライトＢＬからの光を遮光する遮光領域ＩＬＤが形成されている。これにより、遮光領域ＩＬＤは、上下左右方向に互いに隣接する画素領域ＰＩＤの間の領域となっている。この遮光領域ＩＬＤは、たとえば、隣接する画素領域ＰＩＤの間に信号線（ゲート信号線、ドレイン信号線）が走行されていること、この信号線が目視されるのを回避するため、隣接画素間での混色を防止するために形成され、また、信号線の近傍には画素選択用の薄膜トランジスタが具備され、この薄膜トランジスタへの光照射による特性劣化を防止するために形成されている。
【００３２】
この遮光領域ＩＬＤは、たとえば基板ＳＵＢ２の液晶側の面に、上述したパターンで、たとえば通常ブラックマトリックスと称される樹脂膜の形成によって構成されている。なお、図１では、前記樹脂膜を図示しておらず、画素領域ＩＬＤに対して前記遮光領域ＩＬＤを観念的に区別できるように、前記遮光領域ＩＬＤを基板ＳＵＢ１から基板ＳＵＢ２にかけて隔壁のようにして描画している。
【００３３】
なお、液晶表示パネルＰＮＬにおいて、表示領域ＡＲの面積に対する画素領域ＰＩＤの面積の比を画素の開口率と称している。すなわち、表示領域ＡＲの面積に対する画素領域ＰＩＤの面積の比が４０％の場合に画素の開口率は４０％となり、表示領域ＡＲの面積に対する画素領域ＰＩＤの面積の比が５０％の場合に画素の開口率は５０％となる。画素の開口率が５０％の場合、画素領域ＰＩＤの面積は遮光領域ＩＬＤの面積と等しい関係になる。
【００３４】
また、液晶表示パネルＰＮＬは、図１に示すように、基板ＳＵＢ１の液晶と反対側の面に偏光板ＰＯＬ１が形成され、基板ＳＵＢ２の液晶と反対側の面に偏光板ＰＯＬ２が形成されている。これら偏光板ＰＯＬ１、偏光板ＰＯＬ２によって液各画素における液晶の駆動を可視化できるようになっている。
【００３５】
図３は、図２に示した反射薄板ＲＦＢを単独で取り出して描画した平面図である。図３において、反射薄板ＲＦＢは、少なくとも液晶表示パネルＰＮＬの表示領域ＡＲを被う大きさを有する。そして、図中点線枠の拡大図である図Ｂに示すように、後述のバックライトＢＬからの光を透過する開口領域ＯＰＤがマトリックス状に複数形成され、また、これらの開口領域ＯＰＤの周辺に前記バックライトＢＬからの光を反射させる反射領域ＲＦＤが形成されている。これにより、反射領域ＲＦＤは、上下左右方向に互いに隣接する開口領域ＯＰＤの間の領域となっている。反射薄板ＲＦＢの開口領域ＯＰＤ、反射領域ＲＦＤは、それぞれ、液晶表示パネルＰＮＬの画素領域ＰＩＤ、遮光領域ＩＬＤと対応した領域に形成され、それらの大きさはほぼ同じになっている。そして、液晶表示パネルＰＮＬに対して反射薄板ＲＦＢを精度よく配置させた場合、  反射薄板ＲＦＢのそれぞれの開口領域ＯＰＤの中心軸は、液晶表示パネルＰＮＬの前記画素領域ＰＩＤの中心軸にほぼ一致づけられるようになっている。
【００３６】
反射薄板ＲＦＢは、図１に示すように、透明な樹脂シートＲＳは後述のバックライトＢＬ側の面において、前記反射領域ＲＦＤに相当する領域にたとえばＡｇ（銀）で構成された、或いはＡｇ（銀）を含む合金で構成された金属層ＭＬが形成されていることによって構成されている。なお、このように構成された反射薄板ＲＦＢは、一種の反射シートであるが、後述するバックライトＢＬの反射シートＲＦＳと区別するために上述した名称を用いている。
【００３７】
光学シートＯＰＮは、図１、図２において詳細な描画は行っていないが、たとえば拡散シートあるいはプリズムシート等から構成され、これらを複数重ねて用いる場合もある。後述のバックライトＢＬからの光を拡散させたりあるいは集光させたりして液晶表示パネルＰＮＬ側に導くようになっている。
【００３８】
バックライトＢＬは、図１に示すように、液晶表示パネルＰＮＬの少なくとも表示領域ＡＲと対向して配置される導光板ＣＬＢと、この導光板ＣＬＢの一側面に沿って並設された複数の発光ダイオードＬＥＤと、前記導光板ＣＬＢの液晶表示パネルＰＮＬと反対側の面に配置された反射シートＲＦＳとから構成されている。バックライトＢＬは、発光ダイオードＬＥＤからの光が導光板ＣＬＢ内に導かれ、反射シートＲＦＳあるいは導光板ＣＬＢ内で反射された後に、液晶表示パネルＰＮＬと対向する面から出射されるようになり、面光源として機能する。この場合、バックライトＢＬの出射光は、図１の矢印αに示すように、反射薄膜ＲＦＢの開口領域ＯＰＤを通過し、液晶表示パネルＰＮＬの画素領域ＰＩＤに入射するようになり、液晶表示パネルＰＮＬの各画素（画素領域ＰＩＤ）を透過した光によって画像を構成するようになる。
【００３９】
この場合、バックライトＢＬの出射光のうち、図１の矢印βに示すように、反射薄膜ＲＦＢの開口領域ＯＰＤ以外の領域に入射される光がある。この光はこのまま液晶表示パネルＰＮＬ側に出射させようとしても遮光領域ＩＬＤに至る光路（図中点線矢印で示す）で進行し、光の損失につながることになる。しかし、反射薄膜ＲＦＢの開口領域ＯＰＤ以外の領域は上述したように反射領域ＲＦＤとして構成され、バックライトＢＬの出射光は前記反射領域ＲＦＤによってバックライトＢＬ側に戻されることになる。バックライトＢＬは反射シートＲＦＳを具備することから、バックライトＢＬ側に戻された光は反射シートＲＦＳ等によって反射され再度液晶表示パネルＰＮＬ側に出射される機会が与えられる。そして、この光は、反射薄膜ＲＦＢの開口領域ＯＰＤを通過し、液晶表示パネルＰＮＬによる画素の構成に寄与できるようになる。このことは、バックライトＢＬからの光の有効利用が図れ、バックライトＢＬの輝度の向上が図れることになる。
【表１】
2011034017.tif 000003
【００４０】
表１は、上述のように液晶表示装置を構成した場合の効果を考察するためのシミュレーション結果を示したものである。表１において、その左欄から右欄にかけて、反射薄板ＲＦＢの特性（開口率、反射率）、バックライトＢＬにおけるエネルギー収支（総出光、反射薄板吸収、反射シート吸収）、液晶表示パネルＰＮＬの開口率を５０％にした場合の相対エネルギー、液晶表示パネルＰＮＬの開口率を４０％にした場合の相対エネルギーを示している。ここで、液晶表示パネルＰＮＬの相対エネルギーは輝度に相当する値となっている。
【００４１】
反射薄板ＲＦＢは、その反射率が９７％のものを用いている。表１中において、開口率が１００％とは、従来の構成のように反射薄板ＲＦＢを介在させていない状態を示しているものとする。そして、本発明に示す反射薄板ＲＦＢは、開口率を、それぞれ、５０％、４０％、３０％、２０％、１０％と順次小さくさせたものを用いた。なお、反射薄板ＲＦＢは、各開口領域の中心軸が液晶表示パネルＰＮＬの画素領域の中心軸に一致づけられるように配置されているものとする。
【００４２】
バックライトＢＬは、反射薄板ＲＦＢを介在させていない状態で、その総出光エネルギーが７７％としたものを用いている。したがって、表１中、反射薄板吸収は０％となっている。なお、表１中、反射シートは、図１に示す反射シートＲＦＳである。反射薄板ＲＦＢを介在させている場合のバックライトＢＬの総出光エネルギーは、反射薄板ＲＦＢを透過した光量に対応し、この値は、反射薄板ＲＦＢの開口率が小さくなるにつれ順次小さくなっている。
【００４３】
液晶表示パネルＰＮＬは、反射薄板ＲＦＢを介在させていない状態で、その輝度に対応する相対エネルギーは１００％としている。そして、液晶表示パネルＰＮＬの開口率が５０％であって、反射薄板ＲＦＢを介在させ、その開口率を５０％、４０％、３０％、２０％、１０％と変化させた場合、バックライトＢＬからの相対エネルギーは、それぞれ、１８０％、１７１％、１６０％、１４１％、１０５％というようになる。これら相対エネルギーはいずれも１００％以上となっており、反射薄膜ＲＦＢの介在によってバックライトＢＬからの光が有効利用されていることが判る。また、液晶表示パネルＰＮＬの開口率が４０％であっても、反射薄板ＲＦＢを介在させ、その開口率を５０％、４０％、３０％、２０％、１０％と変化させた場合、バックライトＢＬからの相対エネルギーは、それぞれ、２２５％、２１４％、２００％、１７６％、１３１％というようになる。これら相対エネルギーも１００％以上となっており、反射薄膜ＲＦＢの介在によってバックライトＢＬからの光が有効利用されていることが判る。
【００４４】
表１に示したシミュレーションの結果は、上述したように、液晶表示パネルＰＮＬの画素領域における中心軸と反射薄板ＲＦＢの開口領域における中心軸が一致している場合において、反射シートＲＦＳの開口領域の面積を変化させた場合を示したものである。ここで、液晶表示パネルＰＮＬの画素領域、および反射薄板ＲＦＢの開口領域は極めて微細であり、液晶表示パネルＰＮＬに対して反射薄板ＲＦＢの配置に若干のずれが生じた場合には、液晶表示パネルＰＮＬの画素領域における中心軸と反射薄板ＲＦＢの開口領域における中心軸にずれが生じる場合がある。しかし、開口率がたとえば５０％の反射薄板ＲＦＢを用いた場合を考慮した場合、前記ずれによって、液晶表示パネルＰＮＬの画素領域と反射薄板ＲＦＢの開口領域の重なった領域で定められる実質的な開口率がたとえば４０％、３０％、……、１０％と低下してしまうようなことがあっても、表１から明らかとなるように、依然としてバックライトＢＬからの相対エネルギーは１００％以上を維持し、反射薄板ＲＦＢが存在しない場合よりもバックライトＢＬの輝度を向上できることが判明する。
【００４５】
図４は、図２に示した液晶表示装置において、図中ｙ方向における視野角で表示領域ＡＲを観察した場合における相対輝度を示したグラフである。グラフの横軸は視野角を示しており、表示領域ＡＲを垂直方向から観た角度を０°とし、発光ダイオードＬＥＤから遠のく側へ広がりを有する方向を＋とし、これとは逆の方向に広がりを有する方向を−としている。また、グラフの縦軸は相対輝度を示しており、視野角０°の方向から観た輝度を１００としている。反射薄膜ＲＦＢの開口率の変化に応じたそれぞれの特性曲線を示している。すなわち、四角を結ぶ特性曲線は開口率が５０％、三角を結ぶ特性曲線は開口率が４０％、バツ印を結ぶ特性曲線は開口率が３０％および２０％、丸を結ぶ特性曲線は開口率が１０％となっている。比較のため、実線で示した特性曲線は反射薄膜ＲＦＢがない場合を示し、従来の液晶表示装置の場合と同様の特性となっている。このグラフから明らかなように、従来の場合と比べ、視野角の幅が拡大する効果も得られることが判る。図５は、図２に示した液晶表示装置において、図中ｘ方向における視野角で表示領域ＡＲを観察した場合における相対輝度を示したグラフである。図５は図４と対応させて描画しており、図中に示す各特性曲線は図４の場合と同様となっている。このグラフからも明らかとなるように、従来の場合と比べ、視野角の幅が拡大していることが判る。
【実施例２】
【００４６】
上述した実施例では、反射薄板ＲＦＢの開口領域ＯＰＤは、それぞれ、液晶表示パネルＰＮＬの各画素領域ＰＩＤに対応させ、１：１の関係で形成したものである。しかし、これに限定されることなく、液晶表示パネルＰＮＬの隣接する複数（たとえば４個）の画素領域ＰＩＤを共通に含むように、反射薄板ＲＦＢの開口領域ＯＰＤを形成するようにしてもよい。この場合において、反射薄板ＲＦＢには、互いに隣接する開口領域ＯＰＤの間に反射領域ＲＦＤが形成され、この反射領域ＲＦＤによって反射されたバックライトＢＬからの光が有効利用されることになる。
【００４７】
また、このような趣旨に基づき、図６は、反射薄板ＲＦＢの開口領域ＯＰＤの他の変形例パターンを示した図である。図６は、図３に対応させて描画した図となっている。図６において、反射薄板ＲＦＢの開口領域ＯＰＤは、液晶表示パネルＰＮＬの図中ｘ方向に並設される各画素からなる画素群を共通に含むように形成している。反射薄板ＲＦＢの反射領域ＲＦＤは、当該画素群と図中ｙ方向に隣接する他の画素群との間の領域に形成されるようになる。液晶表示パネルＰＮＬの図中ｘ方向に並設される各画素からなる画素群とこの画素群と図中ｙ方向に隣接する他の画素群との間には、通常、線幅の太いゲート信号線が走行されており、前記反射領域ＲＦＤの幅も太く形成せざるを得ず、この反射領域ＲＦＤによって反射されたバックライトＢＬからの光を有効利用できることになる。
【実施例３】
【００４８】
上述した実施例では、バックライトＢＬとして、導光板ＣＬＢを備えるものを例に挙げて示したものである。しかし、図７に示すように、いわゆる直下型と称されるバックライトＢＬ'を備えるものにあっても適用することができる。図７は、図１に対応させて描いた図である。図７に示すバックライトＢＬ'は、液晶表示パネルＰＮＬの少なくも表示領域ＡＲに対向するようにして配置された箱状からなるフレームＦＲと、このフレームＦＲの底面に配置された反射シートＲＦＳと、この反射シートＲＦＳの上方であって前記液晶表示パネルＰＮＬと平行な平面内の並設される複数の冷陰極線管ＬＣＴとを備えて構成されている。冷陰極線管ＬＣＴからの光は、液晶表示パネルＰＮＬ側へ直接指向するものと、反射シートＲＦで一旦反射した後に液晶表示パネルＰＮＬ側へ指向するものを有して面光源としての機能を有するようになっている。
【００４９】
この場合、このようなバックライトＢＬであっても、反射薄板ＲＦＢの反射領域ＲＦＤによって反射されたバックライトＢＬの光を反射シートＲＦＳによって液晶表示パネルＰＮＬ側に再度入射させることができる。このため、このようなバックライトＢＬ'であっても本発明を適用することができる。
【実施例４】
【００５０】
上述した実施例では、反射薄板ＲＦＢは、樹脂シートＲＳの面に金属層ＭＬを形成して構成したものである。しかし、これに限定されることはなく、たとえば金属からなる光反射効率の良好な薄板を用い、開口領域ＯＰＤに相当する領域に孔を形成するようにして構成してもよい。また、樹脂シートＲＳを偏光板ＰＯＬ１に精度良く貼り付けても良い。
【００５１】
以上、本発明を実施例を用いて説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いてもよい。
【符号の説明】
【００５２】
ＰＮＬ……液晶表示パネル、ＲＦＢ……反射薄板、ＯＰＳ……光学シート、ＢＬ、ＢＬ'……バックライト、ＳＵＢ１、ＳＵＢ２……基板、ＳＬ……シール材、ＰＩＤ……画素領域、ＩＬＤ……遮光領域、ＰＯＬ１、ＰＯＬ２……偏光板、ＲＳ……樹脂シート、ＭＬ……金属層、ＣＬＢ……導光板、ＬＥＤ……発光ダイオード、ＲＦＳ……反射シート、ＦＲ……フレーム、ＬＣＴ……冷陰極線管。
【図１】
2011034017.tif 000004
【図２】
2011034017.tif 000005
【図３】
2011034017.tif 000006
【図４】
2011034017.tif 000007
【図５】
2011034017.tif 000008
【図６】
2011034017.tif 000009
【図７】
2011034017.tif 000010